(57)【要約】  再生装置に含まれた追加記録媒体のプロファイル情報を提供することによって、追加記録媒体から読み取られる動画データの切れ目のない再生を保証可能にする再生装置及び動画データの保存方法を提供する。動画データを再生する再生装置において、動画の再生に必要な動画データ及び／または付加データを保存する追加記録媒体と、追加記録媒体から動画データをデコーディングして出力するためのＡＶデコーダと、追加記録媒体の性能に関するプロファイル情報を参照して、追加記録媒体にデータの保存管理を行うマネジャーと、を備える再生装置である。
2009512332.tif 000002
【特許請求の範囲】
【請求項１】
動画データを再生する再生装置において、
動画の再生に必要な動画データ及び／または付加データを保存する追加記録媒体と、
前記追加記録媒体から動画データをデコーディングして出力するためのＡＶデコーダと、
前記追加記録媒体の性能に関するプロファイル情報を参照して、前記追加記録媒体にデータの保存管理を行うマネジャーと、を備えることを特徴とする再生装置。
【請求項２】
前記追加記録媒体の性能に関するプロファイル情報を保存するレジスタをさらに備えることを特徴とする請求項１に記載の再生装置。
【請求項３】
前記追加記録媒体の性能に関するプロファイル情報は、前記追加記録媒体が支援する最小データ伝送速度別にレベルを分けて固定された値が割当てられていることを特徴とする請求項１に記載の再生装置。
【請求項４】
前記追加記録媒体の性能に関するプロファイル情報は、前記再生装置が具現しうる性能の最小性能レベル、グラフィック性能レベル、最大伝送率レベル、イメージデコーディング速度レベル、ネットワーク性能、ネットワーク帯域幅レベル、ストレージ伝送率レベル、ストレージ性能レベル、システムメモリサイズレベル、ＣＰＵ性能レベルのうち少なくとも一つ以上を含むことを特徴とする請求項１に記載の再生装置。
【請求項５】
前記最小性能レベルは、ネットワーク、追加記録媒体、サブ動画の支援如何を知らせる情報を含むことを特徴とする請求項１に記載の再生装置。
【請求項６】
前記最小性能レベル値が、第１値であれば、ネットワーク、追加記録媒体、サブ動画が支援されないことを表し、第２値であれば、ネットワーク及びサブ動画が支援されない、追加記録媒体の支援を表し、第３値であれば、ネットワーク及び追加記録媒体が支援されない、サブ動画の支援を表し、第４値であれば、ネットワーク、追加記録媒体及びサブ動画支援を表すことを特徴とする請求項５に記載の再生装置。
【請求項７】
前記マネジャーは、
前記追加記録媒体に保存されるデータの最大マルチプレキシング率と前記追加記録媒体のプロファイル情報とを検査し、前記追加記録媒体のプロファイル情報が前記保存されるデータの最大マルチプレキシング率を支援する場合に、前記追加記録媒体にデータを保存するステップを含むことを特徴とする請求項１に記載の再生装置。
【請求項８】
前記マネジャーは、
前記追加記録媒体のプロファイル情報をサーバに伝送し、前記サーバから前記プロファイル情報に適した動画データを受信して、これを前記追加記録媒体に保存することを特徴とする請求項１に記載の再生装置。
【請求項９】
前記マネジャーは、
情報記録媒体から再生に必要なデータを読み取って前記データをＡＶデコーダに伝送するディスクマネジャーと、
前記追加記録媒体に動画データを保存するか、あるいは読み取って前記データをＡＶデコーダに伝送するストレージマネジャーと、
前記再生装置の再生関連情報をネットワーク上の指定されたサーバに伝送するか、または前記サーバから動画データをダウンされて保存するために、ストレージマネジャーに伝送及び／または前記データをＡＶデコーダに伝送するネットワークマネジャーと、
前記ＡＶデコーダ、ディスクマネジャー、ネットワークマネジャー及びストレージマネジャーを制御するナビゲーションマネジャーと、を備えることを特徴とする請求項１に記載の再生装置。
【請求項１０】
動画データの保存方法において、
動画の再生に必要な動画データ及び／または付加データを保存する追加記録媒体の性能に関するプロファイル情報を確認するステップと、
前記確認された前記追加記録媒体のプロファイル情報によって、前記追加記録媒体に動画データを保存するステップと、を含むことを特徴とする動画データの保存方法。
【請求項１１】
前記追加記録媒体の性能に関するプロファイル情報をシステムレジスタから読み取るステップをさらに含むことを特徴とする請求項１０に記載の動画データの保存方法。
【請求項１２】
前記追加記録媒体の性能に関するプロファイル情報は、前記追加記録媒体が支援する最小データ伝送速度別にレベルを分けて固定された値が割当てられていることを特徴とする請求項１０に記載の動画データの保存方法。
【請求項１３】
前記追加記録媒体の性能に関するプロファイル情報は、前記再生装置が具現しうる性能の最小性能レベル、グラフィック性能レベル、最大伝送率レベル、イメージデコーディング速度レベル、ネットワーク性能、ネットワーク帯域幅レベル、ストレージ伝送率レベル、ストレージ性能レベル、システムメモリサイズレベル、ＣＰＵ性能レベルのうち少なくとも一つ以上を含むことを特徴とする請求項１０に記載の動画データの保存方法。
【請求項１４】
前記最小性能レベルは、ネットワーク、追加記録媒体、サブ動画の支援如何を知らせる情報を含むことを特徴とする請求項１３に記載の動画データの保存方法。
【請求項１５】
前記最小性能レベル値が、第１値であれば、ネットワーク、追加記録媒体、サブ動画が支援されないことを表し、第２値であれば、ネットワーク及びサブ動画が支援されない、追加記録媒体の支援を表し、第３値であれば、ネットワーク及び追加記録媒体が支援されない、サブ動画の支援を表し、第４値であれば、ネットワーク、追加記録媒体及びサブ動画支援を表すことを特徴とする請求項１４に記載の動画データの保存方法。
【請求項１６】
前記確認ステップは、
前記追加記録媒体に保存される動画データの最大マルチプレキシング率と前記追加記録媒体のプロファイル情報とを検査するステップと、
前記追加記録媒体のプロファイル情報が前記保存される動画データの最大マルチプレキシング率を支援する場合に、前記追加記録媒体に前記動画データを保存することを決定するステップと、を含むことを特徴とする請求項１４に記載の動画データの保存方法。
【請求項１７】
前記確認ステップは、
前記追加記録媒体のプロファイル情報をネットワークを通じてサーバに伝送し、前記サーバから前記プロファイル情報に適した動画データを受信するステップを含むことを特徴とする請求項１０に記載の動画データの保存方法。
【請求項１８】
再生のための動画データを保存する再生装置において、
動画データの再生に必要な動画データ及び／または付加データを保存する追加記録媒体と、
前記動画データの最大マルチプレキシング率と前記追加記録媒体のプロファイル情報とを比較して、前記追加記録媒体の前記プロファイル情報が前記動画データの最大マルチプレキシング率を支援すれば、前記追加記録媒体に前記動画データを保存するデータストレージマネジャーと、を備えることを特徴とする再生装置。
【請求項１９】
動画データの最大マルチプレキシング率と再生装置の追加記録媒体のプロファイル情報とを比較して、前記再生装置によって再生される動画データが前記再生装置の追加記録媒体に保存されねばならないかを決定し、前記追加記録媒体の前記プロファイル情報が前記動画データの最大マルチプレキシング率を支援すれば、前記追加記録媒体に前記動画データを保存するプログラムを有するコンピュータで読み取り可能な媒体。
【請求項２０】
動画データ及び／または前記動画データの再生に必要な付加データを保存する再生装置の追加記録媒体に前記動画データを保存する方法において、
前記動画データの最大マルチプレキシング率と前記追加記録媒体のプロファイル情報とを比較するステップと、
前記追加記録媒体の前記プロファイル情報が前記動画データの最大マルチプレキシング率を支援すれば、前記追加記録媒体に前記動画データを保存するステップと、を含むことを特徴とするデータの保存方法。
【発明の詳細な説明】
【技術分野】
【０００１】
本発明は、動画データを再生する再生装置及び動画データを保存する方法に関する。
【背景技術】
【０００２】
高画質動画の再生及びユーザとの相互作用を強化するために、付加データを含む情報記録媒体の再生のための再生装置において、高画質動画の再生と共に多様な付加データを円滑に再生できるように、再生に必要なデータの提供を着脱式の情報記録媒体だけでなく、再生装置に含まれた追加記録媒体からも提供されるようになった。
【０００３】
図１は、従来の技術による再生装置を示す概略図である。図１を参照するに、高画質動画の再生と共に多様な付加データを再生する再生装置１００は、追加記録媒体１１０を備える。追加記録媒体１１０は、高画質動画の再生に必要な動画データ及び／または付加データを保存するために再生装置に含まれた媒体であって、再生装置１００は、ネットワーク１２０を通じて受信した動画データ及び／または付加データを追加記録媒体１１０に保存しうる。または、再生装置１００は、ディスク１３０から読み取った動画データ及び／または付加データを追加記録媒体１１０に保存することもできる。
【０００４】
このような方法で追加記録媒体１１０に保存されたデータのうち、付加データの場合、高画質動画に比べてデータの大きさが相対的に小さくて、例えば、キャッシュメモリに再生前に保存しておき、再生すれば、追加記録媒体１１０のデータ伝送速度に大きく影響を受けずに円滑な再生が可能である。しかし、動画データの場合、高画質の動画データであるほど平均的なマルチプレキシング率が高まって、追加記録媒体１１０のデータ伝送速度が落ちる場合、再生装置１００のＡＶデコーダに動画データを定時に伝送できなくなって、動画の切れ目現象が発生することもできる。
【発明の開示】
【発明が解決しようとする課題】
【０００５】
本発明は、前記問題点を解決して再生装置に含まれた追加記録媒体のデータ伝送速度に関するプロファイル情報を提供することによって、追加記録媒体から読み取られる動画データの切れ目のない再生を保証可能にする再生装置及び動画データの保存方法を提供することを目的とする。
【課題を解決するための手段】
【０００６】
前記課題を解決するための本発明の一つの特徴は、動画データを再生する再生装置において、動画の再生に必要な動画データ及び／または付加データを保存する追加記録媒体と、前記追加記録媒体から動画データをデコーディングして出力するためのＡＶデコーダと、前記追加記録媒体の性能に関するプロファイル情報を参照して、前記追加記録媒体にデータを保存管理を行うマネジャーと、を備えることである。
【０００７】
前記再生装置は、前記追加記録媒体の性能に関するプロファイル情報を保存するレジスタをさらに備えることが望ましい。
【０００８】
前記追加記録媒体の性能に関するプロファイル情報は、前記追加記録媒体が支援する最小データ伝送速度別にレベルを分けて固定された値が割当てられている。
【０００９】
また、前記追加記録媒体の性能に関するプロファイル情報は、前記再生装置が具現できる性能の最小性能レベル、グラフィック性能レベル、最大伝送率レベル、イメージデコーディング速度レベル、ネットワーク性能、ネットワーク帯域幅レベル、ストレージ伝送率レベル、ストレージ性能レベル、システムメモリサイズレベル、ＣＰＵ性能レベルのうち少なくとも一つ以上を含むことが望ましい。
【００１０】
前記最小性能レベルは、ネットワーク、追加記録媒体、サブ動画の支援如何を知らせる情報を含むことが望ましい。
【００１１】
前記最小性能レベル値が、第１値であれば、ネットワーク、追加記録媒体、サブ動画が支援されないことを表し、第２値であれば、ネットワーク及びサブ動画が支援されない、追加記録媒体支援を表し、第３値であれば、ネットワーク及び追加記録媒体が支援されない、サブ動画支援を表し、第４値であれば、ネットワーク、追加記録媒体及びサブ動画支援を表すことが望ましい。
【００１２】
前記マネジャーは、前記追加記録媒体に保存されるデータの最大マルチプレキシング率と前記追加記録媒体のプロファイル情報とを検査し、前記追加記録媒体のプロファイル情報が前記保存されるデータの最大マルチプレキシング率を支援する場合に、前記追加記録媒体にデータを保存することが望ましい。
【００１３】
前記マネジャーは、前記追加記録媒体のプロファイル情報をサーバに伝送し、前記サーバから前記プロファイル情報に適した動画データを受信して、これを前記追加記録媒体に保存することが望ましい。
【００１４】
前記マネジャーは、情報記録媒体から再生に必要なデータを読み取って前記データをＡＶデコーダに伝送するディスクマネジャー、前記追加記録媒体に動画データを保存するか、あるいは読み取って前記データをＡＶデコーダに伝送するストレージマネジャー、前記再生装置の再生関連情報をネットワーク上の指定されたサーバに伝送するか、または前記サーバから動画データをダウンされて保存するために、ストレージマネジャーに伝送及び／または前記データをＡＶデコーダに伝送するネットワークマネジャー、前記ＡＶデコーダ、ディスクマネジャー、ネットワークマネジャー及びストレージマネジャーを制御するナビゲーションマネジャーと、を備えることが望ましい。
【００１５】
本発明の他の特徴は、動画データの保存方法において、動画の再生に必要な動画データ及び／または付加データを保存する追加記録媒体の性能に関するプロファイル情報を確認するステップと、前記確認された前記追加記録媒体のプロファイル情報によって前記追加記録媒体に動画データを保存するステップと、を含むことである。
【発明の効果】
【００１６】
本発明の再生装置によれば、追加記録媒体から動画データを読み取って動画のみを再生するか、あるいは付加データと共に再生する場合、再生の切れ目が発生しないようにできる。
【発明を実施するための最良の形態】
【００１７】
以下、添付された図面を参照して本発明を詳細に説明する。
【００１８】
図２は、本発明による再生装置の概略図を示す。図２を参照するに、本発明によって動画データを再生するか、または動画データと共に付加データを再生する再生装置２００は、再生装置２００の構成要素全般を制御し、かつ管理するマネジャー２１０、追加記録媒体２２０、ＡＶデコーダ２５０、プレゼンテーションデコーダ２６０を備える。
【００１９】
追加記録媒体２２０は、動画再生に必要な動画データ及び／または付加データを保存するために再生装置２２０に含まれた媒体であって、例えば、ＨＤＤ、フラッシュメモリを備える。
【００２０】
ＡＶデコーダ２５０は、動画データをデコーディングして出力するためのデコーダであり、プレゼンテーションデコーダ２６０は、付加データをデコーディングして出力するためのデコーダである。
【００２１】
マネジャー２１０は、ＡＶデコーダ２５０及びプレゼンテーションデコーダ２６０を制御し、また、追加記録媒体２２０、ネットワーク、情報記録媒体２３０とのデータ送受信を管理する。特に、本発明によって、マネジャー２１０は、追加記録媒体２２０に動画データの保存時に再生装置２００または追加記録媒体２１０のプロファイル情報を参照して動画データを保存する。
【００２２】
マネジャー２１０の構成を具体的に説明する。図２を参照するに、マネジャー２１０は、ナビゲーションマネジャー２１１、ディスクマネジャー２１２、ストレージマネジャー２１３、ネットワークマネジャー２１４、プロファイル情報保存レジスタ２１５を備える。
【００２３】
ディスクマネジャー２１２は、情報記録媒体（例、光ディスクなど）２３０から再生に必要なデータを読み取って各再生のためのモジュールに伝送する。ストレージマネジャー２１３は、追加記録媒体２２０に動画データ及び／または付加データを保存するか、あるいは読み取って各再生のためのモジュールに伝送する。ネットワークマネジャー２１４は、再生装置２００の再生関連情報をネットワーク上の指定されたサーバに伝送するか、または前記指定されたサーバから動画データ及び／または付加データをダウンされて保存するためにストレージマネジャー２１３に伝送及び／または各再生のためのモジュールに伝送する。
【００２４】
ナビゲーションマネジャー２１１は、動画データ及び／または付加データの再生順序によって、ＡＶデコーダ２５０、プレゼンテーションデコーダ２６０、ディスクマネジャー２１２、ストレージマネジャー２１３、ネットワークマネジャー２１４を制御する。
【００２５】
プロファイル情報保存レジスタ２１５は、再生装置２００に含まれている追加記録媒体２２０のデータ伝送速度についての情報を含んでいる。
【００２６】
このような再生装置を通じて再生される動画データは、例えば、動画の解像度差によってＳＤ（Ｓｔａｎｄａｒｄ  Ｄｅｆｉｎｉｔｉｏｎ）とＨＤ（Ｈｉｇｈ  Ｄｅｆｉｎｉｔｉｏｎ）とに区分され、ＳＤ級である従来ＤＶＤの場合、１０.０８Ｍｂｐｓの最大マルチプレキシング率で多重化されており、ＨＤ級である場合、それ以上のマルチプレキシング率で多重化される。
【００２７】
一方、追加記録媒体２２０の場合、その種類によって多様なデータ伝送速度を有している。一例として、ハードディスクのような記録媒体の場合、広く使われているＡＴＡ１３３の場合、最大１３３ＭＢ／ｓ、Ｓｅｒｉａｌ−ＡＴＡの場合、最大１５０ＭＢ／ｓのデータ伝送速度を有する。フラッシュメモリの場合、１０ＭＢ／ｓ前後のデータ伝送速度を有する。再生のためにＳＤ級動画を読み取る場合、ハードディスクやフラッシュメモリが何れもＡＶデコーダ２５０にアンダーフローが発生しないようにデータを伝送しうる。しかし、ＨＤ級動画の場合、ハードディスクは、アンダーフローの問題なしにデータを伝送しうるが、フラッシュメモリの場合、ＡＶデコーダ２５０に円滑なデータを伝送できないので、再生中に切れ目現象が発生する。
【００２８】
したがって、追加記録媒体２２０のデータ伝送速度によって追加記録媒体２２０に保存しうる動画が制限されることが望ましい。再生装置２００は、図２に示したように、追加記録媒体２２０のデータ伝送速度による情報をシステムレジスタ２１０に記憶しておき、動画データが追加記録媒体２２０に保存されねばならない場合、ナビゲーションマネジャー２１１は、レジスタ２１０に記憶された追加記録媒体のプロファイル情報を参照して、動画データの保存如何を事前に決定しうる。もちろん、追加記録媒体のデータ伝送速度によるプロファイル情報は、システムレジスタ２１５以外に他の形態に保存される。
【００２９】
図３は、図２に示されたプロファイル情報の一例を示す。図３に示された追加記録媒体のデータ伝送速度によるプロファイル情報３００は、所定の最小データ伝送速度によって多様なプロファイルと定義され、再生装置別に固定されたプロファイル値を保存する。図３を参照するに、最小ｘｂｐｓの伝送速度は、“１”と定義され、最小ｘ＋ｙｂｐｓの伝送速度は、“２”と定義される。図３に示されたプロファイル情報は、一例に過ぎず、データ伝送速度によるプロファイル情報は、色々な形態で提供される。
【００３０】
図４は、図２に示されたプロファイル情報の他の例として、各項目の最小値を保証するプロファイル情報を保存するシステムパラメータを定義する。図４を参照するに、３２ビットで構成されたシステムパラメータ４００は、最小性能レベル１、予約２、グラフィック性能レベル３、最大伝送率レベル４、イメージデコーディング速度レベル５、ネットワーク性能６、ネットワーク帯域幅レベル７、ストレージ伝送率レベル８、ストレージ性能レベル９、システムメモリサイズレベル１０、ＣＰＵ性能レベル１１を含む。
【００３１】
ＣＰＵ性能レベル１１は、情報記録媒体に含まれたプログラム基盤のデータを解釈するためのメインプロセッサの演算速度を表す尺度を示す。
【００３２】
システムメモリサイズレベル１０は、情報記録媒体及び追加記録媒体（すなわち、図２の情報記録媒体２３０及び追加記録媒体２２０）に含まれたプログラム基盤データを読み取って駆動するための作業空間のサイズを表す尺度を示す。
【００３３】
ストレージ性能レベル９は、追加記録媒体のサイズを表す尺度を示す。
【００３４】
ストレージ伝送率レベル８は、追加記録媒体のデータ伝送速度による尺度を表すものであって、例えば、図３に示されたプロファイル情報となりうる。
【００３５】
ネットワーク能力６及びネットワーク帯域幅レベル７は、ネットワーク使用可能如何及びネットワーク使用可能時にネットワーク通信のためのデータ伝送率を表す尺度を示す。
【００３６】
イメージデコーディング速度レベル５は、プログラム基盤データが参照するイメージＪＰＥＧ、ＰＮＧ、ＧＩＦ）のデコーディングにかかる時間を表す尺度を示す。
【００３７】
最大伝送率レベル４は、情報記録媒体から秒当たりデータを読み取るデータ容量を表す尺度を示す。
【００３８】
グラフィック性能レベル３は、プログラム基盤のデータを通じてグラフィック作業を行うための演算速度を表す尺度を示す。
【００３９】
最小性能レベル１は、再生装置の性能指標の組合わせによって、再生装置が具現できる性能を表す代表値として使われる。
【００４０】
前記のような項目は、追加記録媒体のデータ伝送速度と共に再生装置の性能を区分する尺度として使われることによって、情報記録媒体のコンテンツ製作者には、ユーザとの相互動作を強化したコンテンツを製作するに当たってガイドラインを提供し、ユーザには、該当再生装置を通じて情報記録媒体を再生するに当たって含まれたコンテンツの画質及び再生如何を知らせる。
【００４１】
図５は、図４に示された最小性能レベルの具体的な情報を示す。図５を参照するに、最小性能レベル１が００ｂであれば、ネットワーク、追加記録媒体、サブ動画が支援されないことを表し、０１ｂであれば、ネットワーク及びサブ動画は、支援されず、追加記録媒体は、支援されることを表し、１０ｂであれば、ネットワーク及び追加記録媒体は、支援されず、サブ動画は、支援されることを表し、１１ｂは、ネットワーク、追加記録媒体及びサブ動画に何れも支援されることを表す。
【００４２】
したがって、図５に示したような最小性能レベル１を定義することによって、システムパラメータ４００の各項目の詳細レベル値を参照せずとも、前記最小性能レベル１を通じて再生装置が具現できる性能が分かる。
【００４３】
図６は、本発明によって追加記録媒体に動画データを保存する過程を示すフローチャートである。図６を参照するに、追加記録媒体に動画データを保存する時に、マネジャー２１０はまず、追加記録媒体２２０のプロファイル情報を確認する（６１０）。
【００４４】
次いで、マネジャー２１０は、確認された追加記録媒体２２０のプロファイル情報によって追加記録媒体２２０に動画データを保存する（６２０）。
【００４５】
図７は、図６に示された動画データ保存の一例であって、情報記録媒体からの動画データを追加記録媒体に保存する過程を示すフローチャートである。図７を参照するに、追加記録媒体に動画データを保存する時に、ナビゲーションマネジャー２１１は、追加記録媒体２２０に保存される動画データの属性情報を通じて保存する動画データの最大マルチプレキシング率を検査する（７１０）。
【００４６】
また、ナビゲーションマネジャー２１１は、追加記録媒体のデータ伝送速度によるプロファイル情報をシステムレジスタ２１５を通じて検査する（７２０）。
【００４７】
次いで、ナビゲーションマネジャー２１１は、追加記録媒体のプロファイル情報が保存される動画データのマルチプレキシング率を支援するか否かを判断する（７３０）。すなわち、ナビゲーションマネジャー２１１は、現在保存しようとするデータが今後再生時にＡＶデコーダのアンダーフローが発生しないかをあらかじめ確認する。
【００４８】
追加記録媒体のプロファイル情報が保存される動画データのマルチプレキシング率を支援する場合、すなわち、現在プロファイル情報によるデータ伝送速度で動画データを読み取るのに問題がない場合、ナビゲーションマネジャー２１１は、追加記録媒体２２０に動画データを保存するように、ストレージマネジャー２１３及びディスクマネジャー２１２を制御した（７４０）。すなわち、ディスクマネジャー２１２は、情報記録媒体２３０から動画データを読み取って、これをストレージマネジャー２１３に伝送し、ストレージマネジャー２１３は、受信した動画データを追加記録媒体２２０に保存する。
【００４９】
追加記録媒体のプロファイル情報が保存される動画データのマルチプレキシング率を支援しない場合には、再生装置の設定状態によってナビゲーションマネジャー２１１は動作させる（７５０）。すなわち、追加記録媒体のデータ伝送速度が保存される動画を再生するに当たって、切れ目のない再生を保証できない場合には、各再生装置によって、ナビゲーションマネジャー２１１は、警告メッセージを出力するように制御するか、あるいはデータ伝送速度に関係なく、動画データを保存するように制御しうる。
【００５０】
図８は、図６に示された動画データ保存の他の例であって、ネットワークからの動画データを追加記録媒体に保存する過程を示すフローチャートである。図８を参照するに、ネットワークから追加記録媒体に保存する動画データをダウンロードする場合、すなわち、追加記録媒体に保存されねばならない動画データが、再生中に自動にまたはユーザの要請によって発生すれば（８１０）、ナビゲーションマネジャー２１１は、ネットワークマネジャー２１４を制御して、サーバに追加記録媒体のデータ伝送速度プロファイル情報を伝送する（８２０）。このとき、認証のためにサーバ認証情報及びダウンロードする動画データの経路情報もさらに伝送しうる。
【００５１】
次いで、再生装置２００は、サーバから追加記録媒体のプロファイル情報を参照して、適切なマルチプレキシング率を有する動画データを受信する（８３０）。すなわち、サーバは、追加記録媒体のプロファイル情報を参照して、クライアントのネットワーク帯域幅を考慮して多様な解像度の動画データを提供しうる。
【００５２】
次いで、ネットワークマネジャー２１４は、ダウンロードした動画データを、ストレージマネジャー２１３を通じて追加記録媒体２２０に保存する（８４０）。
【００５３】
次いで、再生装置２００は、追加記録媒体に保存された動画データを利用して再生を行う（８５０）。
【００５４】
以上、前述したような再生方法はまた、コンピュータで読み取り可能な記録媒体にコンピュータ可読コードとして具現することが可能である。コンピュータで読み取り可能な記録媒体は、コンピュータシステムによって読み取られるデータが保存される全ての種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置があり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータ可読コードが保存され、かつ実行される。そして、前記再生方法を具現するための機能的なプログラム、コード及びコードセグメントは、本発明が属する技術分野のプログラマーによって容易に推論される。
【００５５】
以上、本発明についてその望ましい実施例を中心に説明した。当業者は、本発明が本発明の本質的な特性から逸脱しない範囲で変形された形態で具現されることが分かるであろう。したがって、開示された実施例は、限定的な観点ではなく、説明的な観点で考慮されねばならない。本発明の範囲は、前述した説明ではなく、特許請求の範囲に現れており、それと同等な範囲内にある全ての差異点は、本発明に含まれていると解釈されねばならない。
【図面の簡単な説明】
【００５６】
【図１】従来の技術による再生装置を示す概略図である。
【図２】本発明による再生装置を示す概略図である。
【図３】図２に示されたプロファイル情報の一例を示す図である。
【図４】図２に示されたプロファイル情報の他の例を示す図である。
【図５】図４に示された最小性能レベルの具体的な情報を示す図である。
【図６】本発明によって追加記録媒体に動画データを保存する過程を示すフローチャートである。
【図７】図６に示された動画データ保存の一例であって、情報記録媒体からの動画データを追加記録媒体に保存する過程を示すフローチャートである。
【図８】図６に示された動画データ保存の他の例であって、ネットワークからの動画データを追加記録媒体に保存する過程を示すフローチャートである。
【図１】
2009512332.tif 000003
【図２】
2009512332.tif 000004
【図３】
2009512332.tif 000005
【図４】
2009512332.tif 000006
【図５】
2009512332.tif 000007
【図６】
2009512332.tif 000008
【図７】
2009512332.tif 000009
【図８】
2009512332.tif 000010
【国際調査報告】
2009512332.tif 000011
2009512332.tif 000012